(57)【特許請求の範囲】
【請求項１】
柵や壁の上部から被せるフックを設けた干し具であって、布団の一部を略水平に支えるコの字状又はＩ字状に形成された干し物支え部を設け、布団挟みが外れないよう挟持部の動きを制限する前記干し物支え部の側端部から延在する壁で形成されたはさみ固定部を、該干し物支え部の必要箇所に少なくとも一つ以上設けるか、又は一つ以上着脱自在に設けたことを特徴とする干し具。
【請求項２】
柵や壁の上部に設置するか、又は前記干し具に接続可能な設置部に、布団の下端部を略垂直に支えるＵ字状に形成された干し物支え部を具備した干し具を設けた、請求項１に記載の干し具。
【発明の詳細な説明】
【技術分野】
【０００１】
本発明は、ベランダやバルコニー等の手すり、柵、壁等に設置して使用する干し具であり、主に布団を干すことを目的としたものである。布団の表面又は裏面の片面一面を一度に太陽光に当てることができるもので、従来の布団片面干し具と比べ、明らかにコンパクトに形成することが可能である。
類似する先行文献の発明は、ほぼ布団と同サイズの板状や格子状の支えや、複数の縦棒や横棒を並べる等した支えや、棒をクロスさせるなどの方法で、面をもってして布団の面を支えるものが目立つが、これらの支え方は布団の横幅程度の大きさを必要とする大きな装置になってしまう。本発明は必要な一部分を線で支えるため、明らかにコンパクトに形成可能なものである。
また、類似する先行文献の発明は、装置のように大きい物が多く、着脱が容易ではないが、本発明の干し具は柵や壁の上部から被せるだけでも設置使用可能で、取り外しも容易にでき、不使用時には取り外す他、設置したまま折り畳むことも可能で、何れの方法でも先行文献と比べて場所をとらない物であり、且つ布団を効率的に干す能力が十分にある状態で形成可能としたものである。
設置に関し、物干し竿を利用する必要がなく、鏡など反射板を設ける必要はない。
柵や壁に設置して使用するため、干し具の一部を地面に接地させて支える必要がなく、足元で邪魔になることがないものである。
【背景技術】
【０００２】
布団干し具（特許文献１に記載）として次のような発明があり、このように記載されている。
庭でもベランダでも両方に兼用することが可能で、しかも布団の片面全面が簡単な操作で一度に日干しできるような布団干し具を安価に提供する。連結具により角度調整自在に連結し、各枠体と連結具の長手方向の長さの総和を布団の長さ程度にする。また、連結具には、庭で使用するときの架台か、またはベランダで使用する時の固定具のいずれか一方を選択的に取付可能にする。
この布団干し具は、装置なみのサイズでかなり大きく、庭用として使うには日当たりのよい広いスペースが必要であり、マンション等で使用する際もかなり邪魔になるものである。ベランダ用として使用するにしても着脱が極めて難儀であり、不使用時に設置したままの状態は邪魔以外に異様な光景である。使用後毎回取り外すのはあまりに大変であり、置き場に困るサイズとなっている。
【０００３】
布団干し用具（特許文献２に記載）として次のような発明があり、このように記載されている。
バルコニーの手すりに布団を架けて干すときに布団全体に日光が当たるようにすることが可能な布団干し用具の提供。ベース部材から立設された二本の支柱の頂部を連結する横杆、支柱に基部が支承され、先端が横棒で連結されているアーム部材と支柱間に掛けわたされた支持杆からなり、横杆及び横棒がバルコニーの手すりの上縁とほぼ同じ高さに構成する。
この布団干し用具は、全体のサイズがほぼ布団と同サイズの大きな物であり、不使用時にもかなりのスペースを必要としている。足元に接地するコの字状のパイプなどがあるため足場も広く干し用具にとられ、特にマンション等の狭いベランダでは不使用時に邪魔になるものである。
【０００４】
ベランダ用布団干し具（特許文献３に記載）として次のような発明があり、このように記載されている。
床面に接地する略コの字状のパイプの左右の先端部をそれぞれ立ち上げた形状の土台用パイプに、その両側辺パイプ部間を橋渡すように載置する重し石設置板を
設け、この土台用パイプの両端に取り付けられ、任意のベランダ枠の上辺部位の高さで土台用パイプ側へ若干沈み込むように折り曲げられ、更に上方へ折り返す ことでそれらの折り曲げ部間にくびれ形を形成した一対のパイプとそれらの間に双方のパイプを固定するための連結板で連結し、前記くびれ形の底部にゴムバン
ドを設けた中間パイプと、前記中間パイプの上部両開放端に取り付けられ上辺で連結した一対の側辺パイプ部と、その側辺パイプ部の上下中間部にゴムバンドを 有し、枠幅が布団幅を有する上部枠と、この上部枠内側に布団の中間部付近から上端部までの上半部分を保持するための金網を有する布団保持パイプよりなるベランダ用布団干し具。
このベランダ用布団干し具は、全体のサイズがほぼ布団と同サイズの大きな物であり、不使用時にもかなりのスペースを必要としている。接地するコの字状のパイプや重し石などがあるため足場も広く干し具にとられ、布団を干すのは困難なものです。またゴムバンドを使用しており、布団を裏返すのも容易ではない。
【先行技術文献】
【特許文献】
【０００５】
【特許文献１】特開２００６−４３０７０号広報
【特許文献２】特開２００４−１６６８５０号広報
【特許文献３】特許第３１４６３５４号広報
【発明の概要】
【発明が解決しようとする課題】
【０００６】
通常布団を干す際に太陽光を受けることができる面は四分の一の面であり、布団を干す作業を四回繰り返す必要がある。そこで本発明の干し具は、一度に布団の一面を干すことが可能となり、布団の表面と裏面の二面を干すことで布団干しが完了するよう形成することを目的としたものである。
また、従来からある布団干し具等は、布団幅と同サイズのものが多く見られ、かなりスペースを必要としてしまい、特に不使用時に邪魔になってしまう他、着脱が容易でないものである。そこで本発明の干し具は従来の物と比べ明らかにコンパクトで、着脱が容易な干し具を提供することを目的とするものである。
【課題を解決するための手段】
【０００７】
上記目的を解決するために請求項１の干し具は、柵や壁の上部から被せるフックを設けた干し具であって、布団の一部を略水平に支えるコの字状又はＩ字状に形成された干し物支え部を設け、布団挟みが外れないよう挟持部の動きを制限する前記干し物支え部の側端部から延在する壁で形成されたはさみ固定部を、該干し物支え部の必要箇所に少なくとも一つ以上設けるか、又は一つ以上着脱自在に設けたことを特徴としている。
【０００８】
この請求項１の干し具によれば、柵や壁に引っ掛けるように設置するフックに、布団を支えるための干し物支え部が付いた干し具である。干し具を使用して干した布団を布団挟みで固定する際に、布団挟みの挟持部の動きを制限することが可能なはさみ固定部を、干し物支え部の側端部から延在する壁を設けて形成している。（図７参照。布団を支持した状態の裏面を図示。）
はさみ固定部はコの字状の干し物支え部の角やＩ字状の干し物支え部の先端に具備したものが図示されているが、図２７ａに示すように必要箇所に複数具備してもよく、着脱自在に設けてもよいものである。
フックは遠隔側設置部及び近接側設置部及び上部設置部としており、それぞれの設置部の長さは必要に応じて決定すればよいが、柵や壁の上部から下方に向かって引っ掛けるように設置するため、遠隔側設置部及び近接側設置部（フックの縦部分。）の長さはある程度あったほうが設置する際安定する。
フックに固定力を求めるなら図５ｂのようにスライド固定機能を設けるなど、その他の固定機能を具備してもよいが、前記フックの縦部分に長さがあれば、使用時に干し物支え部を下から上方に持ち上げる動きが生じても、根元から垂直に持ち上げない限り干し具が持ち上がることはないため、必ず固定機能を具備する必要はない。
【０００９】
また、図１に示すコの字状の干し物支え部が具備されたフックは、軽量化を図るためフレーム状に図示したものであり、コの字状の先端から先端までの距離を板状で形成する一つのフックとして形成する等してもよい。
コの字状の干し物支え部は布団の一部として布団の外側付近を支えており、（図１３、１５等参照。）Ｉ字状の干し物支え部も同様に布団の一部を支えており、何れも布団の一部を略水平に支えている。（図１９参照。布団を略水平に保持した面のうち、極一部分の支えで保持可能となる。図１５のように布団ばさみで固定する。）
【００１０】
布団の一部を支えるとは、例えば布団の外側付近を支える実施例図１９で干し物支え部が支えている部分を指している。布団の外側付近とは、干し物支え部及びはさみ固定部で布団を支えた状態を、外側から布団ばさみで挟む際に、はさみ固定部に布団ばさみが届く付近のことを指している。（図７、図１３、図１５参照。）
板状や格子状の物が面で支えるのに対して、本発明の干し物支え部は、棒状の線で支えるものである。先行技術によくある格子状の支えは棒状で形成されてはいるが、板状と同じく広い空間を必要とし、幅をとってしまうため、板状とかわらないものである。
本発明の干し具を図示したような干し物支え部や干し物支え延長部は、布団の広い面を支えることはないため、これは板状でも格子状でもなく棒状で支えていると言える。
【００１１】
図１に示す干し具はコの字状の干し物支え部に、はさみ固定部を具備したものである。
図１６に示す干し具はＩ字状の干し物支え部に、はさみ固定部を具備したものであり、これらは全て格子状ではない棒状の線で支えていると言えるものである。
【００１２】
請求項２の干し具は、柵や壁の上部に設置するか、又は前記干し具に接続可能な設置部に、布団の下端部を略垂直に支えるＵ字状に形成された干し物支え部を具備した干し具を設けた、請求項１に記載の干し具である。
【００１３】
この請求項２の干し具によれば、柵や壁の上部に設置する他、請求項１の干し具に接続可能な設置部に、布団の下端部を略垂直に支えるＵ字状に形成された干し物支え部を具備した干し具であり、請求項１の干し具を使用して支えた布団の下端部を補助的に支えることが可能なものである。
Ｕ字状の干し物支え部もコの字状やＩ字状と同様に布団の一部を支えており、略垂直状態の布団の下端部を支えるものである。（図１９、２０参照。下端にくる布団の一部分を支える。）
【００１４】
図２０に示す干し具はＵ字状の干し物支え部であり、これは格子状ではない棒状の線で支えていると言えるものである。
図２０に示すＵ字状の干し物支え部は、見方によっては板状であるが、布団の広い面を支えるものではないため、棒状と言えるものである。
【発明の効果】
【００１５】
通常布団を干す際は、布団１４表面の半分を１面とし、表面の２面と裏面の２面、合計４面が太陽光にあたるよう布団１４を反す必要があるが、本発明の干し具７７を使用することで一度に表面又は裏面の全面を干すことが可能となり、布団を反す手間を省く効果及び干す時間を半分にする効果がある。
【００１６】
一度に布団１４の表面を干すことが目的の考案及び発明は先行文献に挙げたものがあるが、使用時及び不使用時にスペースをとるものが主であり、それらと比べあきらかにコンパクトに形成可能で、布団１４を支える効果を持ち、はさみ固定部１０を設けることで安定度を向上させる効果もあり、干し具７７を布団１４よりかなり小さく形成することができる。
【００１７】
はさみ固定部１０を図示した図９ａの物より、図９ｂのように形成することでコの字状の干し物支え部６を具備した干し具７７自体を更に小さく形成することができる。
【００１８】
干し具７７の遠隔側設置部２、近接側設置部３、上部設置部４からなるフックを柵や壁の上部から被せるように設置することで使用可能となるため、着脱が容易で非常に効率的な使用が可能となる効果がある。
【００１９】
図４ａ、４ｂに示すように、支え棒７を受ける支棒受部５の位置を択一的に使用可能となるよう形成することで干し物支え部６の角度を調節できる効果がある。
（この角度調節で生じた角度は、略水平と言えるものである。）
【図面の簡単な説明】
【００２０】
【図１】干し具を壁に設置した状態を示す斜視図である。
【図２】図１と同じ状態を示し、支え棒の形状を示す斜視図である。
【図３】設置していない干し具を示す斜視図である。
【図４】干し物支え部の角度を変えた状態を示す干し具の側面図である。
【図５】５ａは折畳んだ状態の干し具側面図である。                                    ５ｂは設置の固定力を高める考慮を加えた一例を示す側面図である。
【図６】はさみ固定部を示す斜視図である。
【図７】はさみ固定部に、布団ばさみを使用した状態を示す斜視図である。
【図８】支え棒を干し物支え部とはさみ固定部に収納した状態の斜視図である
【図９】干し物支え部に支え棒を収納した状態を示す平面図である。
【図１０】干し物支え延長部を折畳んだ状態を示す斜視図である。
【図１１】干し物支え延長部を使用状態にした斜視図である。
【図１２】干し物支え延長部を別の形状に形成した斜視図である。
【図１３】干し物支え延長部を具備した実施例の斜視図である。
【図１４】干し物支え延長部を別の形状に形成した斜視図である。
【図１５】干し物支え延長部を具備した実施例の斜視図である。
【図１６】Ｉ字状の干し物支え部を示す斜視図である。
【図１７】図１６の側面図である。
【図１８】Ｕ字状の干し具を着脱可能に図示した斜視図である。
【図１９】図１６の実施例で、Ｕ字状干し具を併用した斜視図である。
【図２０】Ｕ字状の干し具の実施例である。
【図２１】Ｉ字状の干し物支え延長部を示す干し具の斜視図である。
【図２２】固定機能部を具備した干し具の斜視図である。
【図２３】固定機能部を具備した干し具の斜視図である。
【図２４】固定機能部を具備した干し具の斜視図である。
【図２５】手すり壁に干し具を設置した側面図である。
【図２６】スライド調節式設置部を具備した干し具の斜視図である。
【図２７】Ｉ字状干し具に角度をつけ、はさみ固定部を複数具備した図である。
【図２８】Ｕ字状干し物支え部の側面図である。
【図２９】分離可能な干し具の斜視図である。
【図３０】柵下部に引っ掛けた状態を示す干し具の斜視図と側面図である。
【図３１】図３０の干し具に高さ調節機能を具備した斜視図と側面図である。
【図３２】図３０の干し具の実施例斜視図である。
【発明を実施するための形態】
【００２１】
以下、本発明を添付図面に示す実施例に基づいて一例を説明する。
干し具７７の素材の一例としては、合成樹脂素材、木製、金属製やその他の素材を用いて形成してもよく、布団１４を支えることができる強度があるものを使用して形成する。
金属製の物の外側をラバー状の物で覆うよう形成することで、金属の剥き出し感を抑え、同時に滑り止めの効果を付随させることができる。
フック形状を成す遠隔側設置部２、近接側設置部３、上部設置部４の内側（柵に接地する面。）に、滑り止めを具備することで横滑りを軽減させる他、誤って設置が解除することを防ぐことができる。
また、干し物支え部６の布団１４と接触する面に滑り止めを具備することで、布団１４を維持し易くすることができるものである。（干し物支え延長部１３も同様。）
【００２２】
図１に示す干し具７７は、コの字状の干し物支え部６を具備した干し具７７であり、ベランダ等の壁に設置した状態を示す実施例斜視図である。図２、図３も同じような斜視図であり、図２は支え棒７が支棒受部５で支えやすいようＬ字状に形成されていることを示しているものである。
ベランダの壁や柵の外側に遠隔側設置部２がくるように設置して使用する。近接側設置部３や干し物支え部６は内側（窓側、家側。）にくるように設置して使用する。（Ｕ字状の干し物支え部６を具備した干し具７７は、柵や壁の遠隔側、近接側のどちらでも使用可能である。特に必要であればコの字状、Ｉ字状の干し具７７でも遠隔側、近接側は問わず使用可能。）
コの字状、Ｉ字状の干し物支え部６を具備した干し具７７は、干し物支え部６を内側に設置する為、屋外への落下のリスクを回避することができる他、布団１４を干す際や反す際、取り込む際などの作業がやりやすくなる。（Ｕ字状のものでも内側に設置した場合同じことが言える。）
【００２３】
図４に示す干し具７７は、図１の干し具７７の側面図で、図４ａは干し物支え部６を水平に維持した状態を示し、図４ｂは別の支棒受部５を使用して角度を付けた状態を図示したものである。
支え棒７を支棒受部５にセットすることで干し物支え部６及び布団１４などを支えることが可能となる。支棒受部５は複数具備することで細かい角度調整が可能となる。
布団１４を干す際に図５ａの折畳んだ状態の干し具７７の上に布団１４を被せ、はさみ固定部１０などを利用し、布団ばさみ９で固定する。その後干し物支え部６を略水平などにし、支え棒７を支棒受部５で支えることで内側にくる布団１４を持ち上げて、太陽光を布団１４の表面又は裏面の全面でうけるようにする。
【００２４】
図５ａは図４の干し物支え部６を折畳んだ状態を図示したものである。この際支え棒７は、干し物支え部６の裏面（布団１４を支える面の裏側。）の空間に収納された状態である。（図８、図９参照。）
図５ｂは壁に設置した干し具７７の固定力を高める際使用するスプリングボタン式固定部１１を具備した干し具７７を図示したものである。スプリングは外側に押し出す力を維持しており、ボタンを押した状態で設置し、設置後ボタンを離すことで外側に突出し干し具７７の脱落を防ぐものである。スライド調節式設置部１２も同様に固定力を高めるもので、近接側設置部３をスライド調節し、留め具８を用いて固定するものである。これら二つの方法に限らず、その他の固定力を高める機能を具備してもよい。
【００２５】
図６に示す干し具７７は干し物支え部６の裏面を図示したものである。干し物支え部６の裏面には支え棒７を格納できる空間が設けてあり、（図８、図９参照。）はさみ固定部１０として、布団ばさみ９を使用した際の布団１４の固定力を高める部分を設けたものを図示したものである。（実施例図７参照。）
【００２６】
図１０、図１１、図１２、図１３、図１４、図１５に示す干し具７７は、干し物支え延長部１３を具備した干し具７７であり、干し物支え延長部１３は折畳み式や凹凸を設けるなどした着脱式で具備し、不使用時はコンパクトにすることができるよう形成するとよい。図１２の干し物支え延長部１３は、はさみ固定部１０とする先端が外側に開いており、このように形成することで干し具７７としての機能を十分に維持したまま干し具７７全体のサイズを小さく形成することができるものである。（実施例図１３参照。）
また、図１４に示す干し具７７の干し物支え延長部１３は、干し物支え部６を広く形成しており、布団ばさみ９で固定できる範囲を広くもつため、より布団１４を維持する固定力が高まるものである。
【００２７】
図１６に示す干し具７７は、Ｉ字状の干し物支え部６を具備した干し具７７であり、布団１４を支える際基本的には二本セットで使用するものである。遠隔側設置部２、近接側設置部３、上部設置部４とからなるフックを柵上部１５に設置した状態を図示したものである。柵でなく壁用に前記フックを形成してもよい。支え棒７は近接側設置部３に具備し、干し物支え部６に形成された支棒受部５を使用して干し物支え部６及び布団１４を支えるよう図示した物であるが、図１のように干し物支え部６に支え棒７を具備し、近接側設置部３に支棒受部５を形成し支え棒７を受けるようにしてもよいものである。
支棒受部５を複数具備し、角度を細かく調整できるよう形成してもよい。
【００２８】
図１７はＩ字状の干し物支え部６を具備した干し具７７の側面図である。図１７ａは干し物支え部６を水平に保つよう支えたものであり、図１７ｂは干し物支え部６を折畳んだ状態を示すもので、布団１４を裏返す際や取り込む際に折畳み状態にしてもよく、不使用時柵に取り付けておいても邪魔になりにくいものである。
コの字状の干し物支え部６を具備した干し具７７と同様に、布団１４を干す際には干し具７７を折畳んだ状態にしておき、布団１４を被せた後、布団ばさみ９で固定し、その後干し物支え部６を起こすことで事前に安定した固定力を得ることができる。
【００２９】
図１８に示す干し具７７はＵ字状の干し物支え部６を具備した干し具７７をコの字状の干し物支え部６を具備した干し具７７に接続可能に形成したものを図示している。
図１９に示す干し具７７は柵に設置されたＩ字状の干し物支え部６を具備した干し具７７と、Ｕ字状の干し物支え部６を具備した干し具７７を使用して布団１４を支えている状態を図示した実施例である。Ｉ字状の干し物支え部６を具備した干し具７７に具備された干し物支え部６を使用し、はさみ固定部１０を使用して布団１４を布団ばさみ９で固定し、柵の外側にくる布団１４の下部をＵ字状の干し物支え部６を具備した干し具７７で支えることで、より安心して布団１４を支えることができるものである。それぞれのＩ字状の干し物支え部６を具備した干し具７７の間にＵ字状の干し物支え部６を具備した干し具７７を一つ使用してもよいものである。
【００３０】
図２０に示す干し具７７はＵ字状の干し物支え部６を具備した干し具７７を二つ使用し、布団１４を横向きの状態で支えていることを示す斜視図である。干し具７７で支えた後に上から布団ばさみ９で固定する。このようにすることでＵ字状の干し物支え部６を具備した干し具７７のみで布団１４を支えることが可能となるものである。Ｕ字状の干し物支え部６を具備した干し具７７は柵などの内側（窓側、家側。）に設置しても、外側に設置しても使用可能であり、内側に設置することで外への落下のリスクを防ぐことができる。また、布団１４を柵より上に持ち上げる必要がなくなるため、布団１４を容易に干しやすくすることができる。
その他、マットレスもこの干し具７７で干すことが可能なものである。
柵通過防止部１は、柵縦棒１７から隣の柵縦棒１７までの距離よりも横幅がある棒状で形成したものを図示している。
柵通過防止部１を干し具７７に具備することで、干し具７７全体が横にずれても柵縦棒１７から隣の柵縦棒１７までの間の空間に干し具７７が通過しないようにすることができるものである。（コの字状、Ｉ字状、Ｕ字状の全ての干し物支え部６で共通の効果がある。）
【００３１】
図２１に示す干し具７７は、Ｉ字状の干し物支え部６が伸縮機能を具備した干し具７７を示すもので、同時に不使用時分解可能になることも示している。必要な長さに調節した後に留め具８を使用することで伸縮自在にしたものである。その他の伸縮機能を具備してもよいものである。
図２２、２３に示す干し具７７は、干し具７７全体が横滑りしないよう柵通過防止部１に固定機能部１８を具備した状態を図示したものである。柵縦棒１７に左右から固定機能部１８を引っ掛けるように固定させて使用する。（図２３ａ波線より下部。柵用の干し具７７。）
図２３ａに示すＵ字状の干し物支え部６を具備した干し具７７の遠隔側設置部２及び近接側設置部３及び上部設置部４とからなるフックは、湾曲部がない角型のフックで、壁に設置するのが適している。この場合は太陽光を受けられるよう干し物支え部６が外側に向くよう設置して使用する。（図２３ａ波線より上部参照。壁用の干し具７７。）
図２４は遠隔側設置部２及び近接側設置部３に固定機能部１８を具備したものである。使用時にフックが外れることがなくなるため、このように固定機能部１８を設けてもよい。
固定機能部１８は何れの物も上記以外の方法も含むものである。
【００３２】
図２５に示す干し具７７は、壁の上部に手すりが付いた手すり壁１９に設置された干し具７７を図示したものである。Ｉ字状の干し物支え部６を具備した干し具７７の側面図であり、このように設置することで手すり壁１９専用の干し具７７を形成することなく、壁や柵や手すり壁１９に対応できるよう形成することができるが、手すり壁１９専用として近接側設置部３の角度を調節したものがあってもよいものである。
図２５ｂのアタッチメント２０は手すり部分に被せ、その上から干し具７７を被せることで、上部設置部４の隙間を埋め、干し具７７の安定力をえることができるものである。素材は剛性があるものでも、ある程度柔軟性があるものでもよく、壁と手すりの周囲にある空間を埋めることで、ぐらつきを押えることが目的のものである。
【００３３】
図２６は、遠隔側設置部２及び近接側設置部３及び上部設置部４とからなるフックにスライド調節式設置部１２を具備した斜視図で、遠隔側設置部２がスライド可能に形成されており、調節後上から留め具８を用いて固定する。その他の固定方法を用いてもよいものである。
図２７に示す干し具７７は、Ｉ字状の干し物支え部６を具備した干し具７７の斜視図と側面図であるが、干し物支え部６を上方に持ち上げるよう形成したものである。このように形成することで、布団１４を干している状態での内側（窓側、家側。）のスペースを広くすることができる。（干し物支え部６を上方に持ち上げたものも略水平と言えるものである。）また、干し物支え部６の上方に持ち上げた部分を角度調節可能に形成してもよいものである。
【００３４】
図２８に示す干し具７７はＵ字状の干し物支え部６を具備した干し具７７の側面図である。図左側の角型フックは壁用として設置しやすいフックを図示したものであり、壁に干し具７７を設置する際は干し物支え部６が外側にくるため、近接側設置部３が逆になっている。
図２９に示す干し具７７は、Ｕ字状の干し物支え部６を具備した干し具７７を、フックと干し物支え部６とを着脱可能に形成した斜視図である。着脱方法は使用時に留め具８を用いて接続し、不使用時は留め具８を外して分離する方法や、双方に凹凸を分けて具備し、使用時に凹凸を合わせて接続する方法、ネジなどを具備し回しいれて接続する方法など、その他の接続、分離方法を含む着脱機能を設けることで不使用時さらにコンパクトに保管することが可能となるものである。
【００３５】
図３０に示す干し具７７は、上記したタイプと同じように遠隔側設置部２及び近接側設置部３及び上部設置部４とからなるフックを設け、フックに干し物支え部６が具備された干し具７７である。
フックに具備された干し物支え部６は、先端を略垂直方向に保持することで干す布団１４の下端部を支えやすくすることができる。図３０に図示したように柵下部１６の水平方向部分に引っ掛けて固定し、図３０ａのように布団１４の下端部を支えて使用するものである。
これもＵ字状の干し物支え部６を具備した干し具７７と同じように内側に設置することで、干した布団１４が外側に落下するリスクをなくすことができる。また、布団１４を柵上部１５まで上げる必要がなくなるため、干す労力を減らすことができるものである。
その他、干し物支え部６を外側に向けて設置することも可能で、例えばコの字状やＩ字状の干し物支え部６を具備した干し具７７と併用することで、安定度を向上させることができる。
【００３６】
図３１に示す干し具７７は、高さ調節機能を具備した干し具７７を図示したものである。図３１ａは凹凸を設けて着脱自在に形成したもので、その他の高さ調節方法も含むものである。図３１ｂは側面図であり、高さを調節することで布団ばさみ９で固定する上部をそろえることができる。
また、必ずしも上部をそろえる必要はなく、図３２のように下部を支えた状態で横から布団ばさみ９で固定してもよいものである。
【００３７】
以上、本発明を実施例に基づき説明したが、本発明は上記実施例に限定されるものではなく、本発明の趣旨を剥脱しない範囲内で色々な改良、変形が可能であることは容易に推察できるものである。
例えば、干し物支え部６の先端に具備されたはさみ固定部１０は、着脱可能に形成してもよく、布団ばさみ９が固定しやすい形状であれば必ず図示した形に形成する必要はない。また、かけ布団１４など、柔らかい布団１４などを干す際に必要であれば干し物支え部６の先端以外の部位にもはさみ固定部１０を具備、又は着脱可能などの方法で具備できるよう形成してもよいものである。（図２７に図示されたはさみ固定部１０参照。）
【００３８】
Ｕ字状の干し物支え部６を具備した干し具７７は、遠隔側設置部２、近接側設置部３、上部設置部４とからなるフックに具備されたＵ字状（見方によってはＪ字状。）の干し物支え部６とで形成されたものであるが、マットレスを支える際等には角のある干し物支え部６が安定しやすいこともあり、必ず湾曲部が必要なものではない。（図２８参照。）このように図２８左側に示す角のある干し物支え部６も、右側に示すＵ字状の干し物支え部６を具備した干し具７７と目的は同じであり、これもＵ字状の干し物支え部６であると言えるものである。
【００３９】
柵通過防止部１は、基本的には近接側設置部３に具備するが、Ｕ字状の干し物支え部６を具備した干し具７７は近接側設置部３と干し物支え部６の境界は特に定めていないため、近接側設置部３か干し物支え部６に具備し、上下位置は特に定める必要はない。
柵通過防止部１は軽量化として横棒の形状で図示してあるが、板状の形成も可能で、柵の縦棒から隣の縦棒までの間を通過してしまわない横幅を持つその他の形状のものも含むものである。
【符号の説明】
【００４０】
１    柵通過防止部
２    遠隔側設置部
３    近接側設置部
４    上部設置部
５    支棒受部
６    干し物支え部
７    支え棒
８    留め具
９    布団ばさみ
１０  はさみ固定部
１１  スプリングボタン式固定部
１２  スライド調節式設置部
１３  干し物支え延長部
１４  布団
１５  柵上部（手すり）
１６  柵下部
１７  柵縦棒
１８  固定機能部
１９  手すり壁
２０  アタッチメント
７７  干し具
【要約】      （修正有）【課題】通常布団を干す際に四分の一面ずつしか太陽光を受けることはできず、布団を反す作業も容易ではないが、布団の表面か裏面で一度に太陽光を受けることができるよう形成された干し具を提供する。【解決手段】柵や壁に引っ掛けるフックに、布団の一部を略水平に支えるコの字状又はＩ字状に形成された支え６を設け、又は布団の下端部を略垂直に支えるＵ字状に形成された支えで布団の一部を支えられるよう形成する。又は柵下部に引っ掛けて設置するフックに布団の下端部を略垂直に支える支え部を具備する。【選択図】図１【図１】
0005180386.tif 000002
【図２】
0005180386.tif 000003
【図３】
0005180386.tif 000004
【図４】
0005180386.tif 000005
【図５】
0005180386.tif 000006
【図６】
0005180386.tif 000007
【図７】
0005180386.tif 000008
【図８】
0005180386.tif 000009
【図９】
0005180386.tif 000010
【図１０】
0005180386.tif 000011
【図１１】
0005180386.tif 000012
【図１２】
0005180386.tif 000013
【図１３】
0005180386.tif 000014
【図１４】
0005180386.tif 000015
【図１５】
0005180386.tif 000016
【図１６】
0005180386.tif 000017
【図１７】
0005180386.tif 000018
【図１８】
0005180386.tif 000019
【図１９】
0005180386.tif 000020
【図２０】
0005180386.tif 000021
【図２１】
0005180386.tif 000022
【図２２】
0005180386.tif 000023
【図２３】
0005180386.tif 000024
【図２４】
0005180386.tif 000025
【図２５】
0005180386.tif 000026
【図２６】
0005180386.tif 000027
【図２７】
0005180386.tif 000028
【図２８】
0005180386.tif 000029
【図２９】
0005180386.tif 000030
【図３０】
0005180386.tif 000031
【図３１】
0005180386.tif 000032
【図３２】
0005180386.tif 000033